(57)【要約】【課題】カーテンからの通気が適切で温室の保温状態の維持に好適し、且つ送風手段に無理な負荷がかゝらず製作も容易な温室カーテンの通気構造を提供すること。【解決手段】重ね合わせた二枚のフィルムのうち上部は孔無しフィルムであるが下部は有孔フィルムであり、重ね合わせた両フィルムの縦横等間隔に結合部を設けた温室カーテンにおいて、前記結合部が縦横７００ｍｍ程度の間隔で形成され、有孔フィルムの通気孔が直径８ｍｍ〜１２ｍｍで前記結合部の中心付近に形成される。【選択図】図３
0003155030.tif 000002
【実用新案登録請求の範囲】
【請求項１】
二枚の農業用フィルムを重ね合わせ、周縁を密封するとともに天井に張設した二枚のフィルムのうち上部は孔無しフィルムであるが下部は有孔フィルムであり、重ね合わせた両フィルムの縦横等間隔に結合部を設け、該結合部以外の個所が気体を送り込むと膨隆する温室カーテンにおいて、前記結合部が縦横７００ｍｍ程度の間隔で形成されるとともに、有孔フィルムの通気孔が直径８ｍｍ〜１２ｍｍで前記結合部の中心付近に形成されたものであることを特徴とする温室カーテンの通気構造。
【考案の詳細な説明】
【技術分野】
【０００１】  本考案は温室内の植物の育成に程よい温熱を与えることのできる温室カーテンの通気構造に関する。
【背景技術】
【０００２】  温室で栽培する植物を良好に育成するためには温室内の温度調整が必要となる。そのために保温性に優れる温室用カーテンを天井等に張設することも従来から用いられる手段であり、カーテンを二重のフィルムで構成してその中にエアを送り込み袋状とすることで保温性を一層高めるとした技術もある（例えば特許文献１、２参照）。
【先行技術文献】
【特許文献】
【０００３】
【特許文献１】特開昭５１−４５０３３号公報
【特許文献２】実用新案登録第３１４８７９２号公報
【考案の概要】
【考案が解決しようとする課題】
【０００４】  周囲を熱圧着した二枚のフィルムで構成した温室カーテンは以前から知られている（特許文献１）。この技術は、上下のフィルムに気体が内包され、気体層によって温室内を保温するものであり、全体が袋状に膨隆するかたちをとる。気体を入れたことにより保温機能が発揮されることを特徴としているが、気体によって中央部分の膨らみが大きくなるため均一性に欠け、収縮する時にバランスが悪くなってスムースな折り畳みができないという不具合があるのと、上下のフィルムは孔無しフィルムであるため気体を除去したときに溜まった温熱が冷えて結露が生じやすく開閉操作に支障が出るなどの問題点もあった。【０００５】  そこで上下のフィルムを折り畳みやすいように構成し、カーテンに無数の微細孔を形成して結露の発生を抑えることを特徴としたものが特許文献２に示されている。無数の微細孔が通気機能を発揮するため温熱が室内を温めることができる点では画期的な創案と云えるが、無数の微細孔を形成したことによりあたかも水がシャワーから噴出するように却って空気の流通が過度となり、カーテン内への気体の送り込み手段に負荷がかかりすぎるといった懸念、及び無数の微細孔の形成にもそれなりの手間を要するといった課題もあった。【０００６】  本考案はこのような事情に鑑みてなされたものであり、カーテンの折り畳みがスムースになされることは勿論、程よい空気流通が温室内の保温状態を維持し、送風手段に無駄がなく簡便に実施できるところの温室カーテンの通気構造を提供しようとするものである。
【課題を解決するための手段】
【０００７】  上記課題を解決するために本考案は、二枚の農業用フィルムを重ね合わせ、周縁を密封するとともに天井に張設した二枚のフィルムのうち上部は孔無しフィルムであるが下部は有孔フィルムであり、重ね合わせた両フィルムの縦横等間隔に結合部を設け、該結合部以外の個所が気体を送り込むと膨隆する温室カーテンにおいて、前記結合部が縦横７００ｍｍ程度の間隔で形成されるとともに、有孔フィルムの通気孔が直径８ｍｍ〜１２ｍｍで前記結合部の中心付近に形成されたものであることを特徴とするものである。
【考案の効果】
【０００８】  本考案の有孔フィルムには直径８ｍｍ〜１２ｍｍの目立つ大きさの通気孔が結合部の中心付近に形成されたものであり、送り込まれた気体は下部の有孔フィルムから温室下方へと穏やかに放出される。放出された気体により室内は程よく温められて植物の育成に必要な温度が確保される結果、良好な環境のもとで植物栽培が実施される。従来の微細孔を有するフィルムと異なり通気孔は縦横結合部の中心付近に限定されているので多量の気体が排出されることはなく、温熱の過度の流出による植物への支障を生じることがない。少数の通気孔により気体の放出が適度に抑制されているためブロワーからの送気にも過大な負荷がかゝからず、通気孔の穿孔作業もポンチを利用して簡単に行うことができるなど製作上の効果も所期される。
【図面の簡単な説明】
【０００９】
【図１】上下のフィルムを示す概略図である。
【図２】上下のフィルムが結合部で結合した俯瞰図である。
【図３】上下のフィルムに気体を送り込んで膨隆させた説明図である。
【図４】温室にカーテンを取り付けた説明図である。
【考案を実施するための形態】
【００１０】  図面を参照して本考案を実施するための形態を説明すると、図１は上部に位置する孔無しフィルム１０と下部に位置する有孔フィルム１１を示し、有孔フィルム１１には８ｍｍ〜１２ｍｍの通気孔１２が形成されている。両フィルムは図２のように結合部１３により縦横方向等間隔に結合されるもので、結合部１３相互の間隔は７００ｍｍ×７００ｍｍ程度となっている。そして前記通気孔１２は縦横の結合部１３の中心付近に夫々１カ所形成され、したがって通気孔１２相互の間隔も縦横７００ｍｍ程度となる。
【００１１】  図３はフィルム１０・１１からなるカーテンＡに気体を送り込んで膨隆させた例を示すもので、結合部１３の個所は上下部とも括れ凹部１４となるが、その他の個所は気体の圧力で膨隆状となり、通気孔１２は膨隆した有孔フィルム１１の中心に位置することになる。
【００１２】  結合部１３は上下のフィルム１０・１１を結合するが、両者を密着させる必要はなく、むしろ膨隆時に多少の間隔があく程度であることが好ましい。そのためにも図示のように中心の針状体１３ａに数ｃｍの長さを持たせ、その両端に掛止片１３ｂを備える構成とすることで掛止片１３ｂ・１３ｂの間隔分余裕が生ずるので括れ凹部１４に無理な負荷がかゝからずフィルム１０・１１の正形状態が維持される。
【００１３】  図４はカーテンＡを温室１５の天井側に取り付けた例を示す。中央のブロワー１６から気体が送られるとフィルム１０・１１は膨隆して通気孔１２から下方に向けて気体を放出し室内が温められて植物に好適する室温が得られる。説明の便宜上左側がカーテンＡの膨隆状態、右側が収縮状態を示している。ブロワー１６が稼働中はカーテンＡが気体を取り込んで膨隆しカーテンは伸張しているが、稼働を停止するとカーテンＡは収縮解放される。
【００１４】  カーテンＡには結合部１３が存在するので膨隆状態から収縮状態となるときにこの部分が折り目の役割をなし、恰もアコーデオンカーテンのように作用するためスムースな折り畳み収縮がなされ、また膨隆時に通気孔１２から気体が程よく放出されていて内部に水分が溜まることがなく収縮時に上下のフィルム１０・１１が付着することもないためカーテンＡの開閉操作に支障を生じることもない。
【００１５】  本考案では通気孔１２の大きさ、結合部１３の間隔などは数値を示しているが、本考案の目的効果を奏する範囲においてその前後の数値も含み、結合部１３の構成なども任意形状とすることができること勿論である。
【符号の説明】
【００１６】  １０  孔無しフィルム
１１  有孔フィルム
１２  通気孔
１３  結合部
１４  括れ凹部
１５  温室
Ａ  カーテン
【図１】
0003155030.tif 000003
【図２】
0003155030.tif 000004
【図３】
0003155030.tif 000005
【図４】
0003155030.tif 000006